(57)【要約】  電子棚表示タグ装置は、各ディスプレイ画面および無線通信トランシーバと通信するメモリを有するプログラマブルプロセッサを備えている。電子棚表示タグ装置は、プロセッサ、ディスプレイ画面、無線通信トランシーバに電力を供給するように構成された電源装置、およびプロセッサ、ディスプレイ画面、無線通信トランシーバ、音声再生装置と電源装置を収容するように構成された筐体をさらに含む。 筐体は、電源装置と通信する少なくとも１つの導体を有する電気コネクタ、棚支持トラックのチャネルの内縁に係合するように構成された少なくとも１つの傾斜ストップ、および棚支持トラックのチャネルの外縁に係合するように構成された支持リブをさらに含む。
2021528762.tif 000002
【特許請求の範囲】
【請求項１】
電子棚表示タグ装置であって、
メモリを有するプログラム可能なプロセッサであって、
ディスプレイ画面、および
無線通信トランシーバ
のそれぞれと通信するプログラム可能なプロセッサと、
前記プロセッサ、前記ディスプレイ画面、および前記無線通信トランシーバに電力を供給するよう構成された電源装置と、
前記プロセッサ、前記ディスプレイ画面、前記無線通信トランシーバ、および前記電源装置を封入するよう構成された筐体であって、前記筐体は、さらに
前記電源装置と通信する少なくとも１つの導体を有する電気コネクタと、
棚支持トラックのチャネルの内縁と係合するよう構成された少なくとも１つの傾斜ストップと、
前記棚支持トラックの前記チャネルの外縁と係合するよう構成された支持リブと、
をさらに含む筐体と、
を備える電子棚表示タグ装置。
【請求項２】
前記ディスプレイ画面が前記筐体の前面に配置され、
電子ペーパーディスプレイ、
ＬＣＤディスプレイ、または
ＬＥＤディスプレイ
の少なくとも１つをさらに備える、請求項１に記載の装置。
【請求項３】
前記電気コネクタは、
前記棚支持トラックの前記チャネル内に挿入され、かつ回転するよう構成された突出部材と、
前記棚支持トラックの前記チャネル内に挿入され、かつ回転するよう構成された前記突出部材の遠位端部に配置された２つの対向配置された第１および第２導電体であって、前記棚支持トラックの前記チャネル内の対応する第１および第２電力導体に係合するよう構成された２つの対向配置された第１および第２導電体と、
をさらに備える、請求項１に記載の装置。
【請求項４】
前記ディスプレイ画面の反対側の前記筐体の後面に配置された前記少なくとも１つの傾斜ストップが、前記電気コネクタが前記棚支持トラックの前記チャネル内でロック位置に回転した場合に前記棚支持トラックの前記チャネルの上部内縁と係合するよう構成された上部傾斜ストップを備える、請求項１に記載の装置。
【請求項５】
前記ディスプレイ画面の反対側の前記筐体の後面に配置された前記少なくとも１つの傾斜ストップが、前記電気コネクタが前記棚支持トラックの前記チャネル内でロック位置に回転した場合に前記棚支持トラックの前記チャネルの下部内縁に係合するよう構成された下部傾斜ストップをさらに備える、請求項４に記載の装置。
【請求項６】
前記支持リブが前記ディスプレイ画面の反対側の前記筐体の後面に配置され、かつ前記電気コネクタが前記棚支持トラックの前記チャネル内でロック位置に回転した場合に前記棚支持トラックの前記チャネルの下部外縁に係合するよう構成されている、請求項１に記載の装置。
【請求項７】
前記筐体が前記ディスプレイ画面の反対側の前記筐体の後面に配置され、かつ前記筐体への前記棚支持トラックの形状投影の外側の音声再生装置からの音声を提供するよう構成された少なくとも１つの音声ポートをさらに備える、請求項１に記載の装置。
【請求項８】
電子棚表示システムであって、
棚支持トラックであって、
上部内縁および下部内縁を含むチャネル、下部外縁、および前記チャネル内の第１および第２電力導体
を備える棚支持トラックと、
電子棚表示タグであって、 
メモリを有するプログラム可能なプロセッサであって、
ディスプレイ画面、および
無線通信トランシーバ
のそれぞれと通信するプログラム可能なプロセッサと、
前記プログラム可能なプロセッサ、前記ディスプレイ画面、および前記無線通信トランシーバに電力を供給するよう構成された電源装置と、
前記プログラム可能なプロセッサ、前記ディスプレイ画面、前記無線通信トランシーバ、および前記電源装置を封入するよう構成された筐体であって、前記筐体は、さらに
前記電源装置と通信する少なくとも１つの導体を有する電気コネクタと、
前記棚支持トラックの前記チャネルの内縁と係合するよう構成された少なくとも１つの傾斜ストップと、
前記棚支持トラックの外縁と係合するよう構成された支持リブと、
をさらに含む筐体と、
を備える電子棚表示タグと、
を備える電子棚表示システム。
【請求項９】
前記ディスプレイ画面が前記筐体の前面に配置され、
電子ペーパーディスプレイ、
ＬＣＤディスプレイ、または
ＬＥＤディスプレイ
の少なくとも１つをさらに備える、請求項８に記載のシステム。
【請求項１０】
前記電気コネクタは、
前記棚支持トラックの前記チャネル内に挿入され、かつ回転するよう構成された突出部材と、
前記棚支持トラックの前記チャネル内に挿入され、かつ回転するよう構成された前記突出部材の遠位端部に配置された２つの対向配置された第１および第２導電体であって、前記棚支持トラックの前記チャネル内の対応する第１および第２電力導体に係合するよう構成された２つの対向配置された第１および第２導電体と、
をさらに備える、請求項８に記載のシステム。
【請求項１１】
前記ディスプレイ画面の反対側の前記筐体の後面に配置された前記少なくとも１つの傾斜ストップが、前記電気コネクタが前記棚支持トラックの前記チャネル内でロック位置に回転した場合に前記棚支持トラックの前記チャネルの上部内縁と係合するよう構成された上部傾斜ストップを備える、請求項８に記載のシステム。
【請求項１２】
前記ディスプレイ画面の反対側の前記筐体の後面に配置された前記少なくとも１つの傾斜ストップが、前記電気コネクタが前記棚支持トラックの前記チャネル内でロック位置に回転した場合に前記棚支持トラックの前記チャネルの下部内縁に係合するよう構成された下部傾斜ストップをさらに備える、請求項９に記載のシステム。
【請求項１３】
前記支持リブが前記ディスプレイ画面の反対側の前記筐体の後面に配置され、かつ前記電気コネクタが前記棚支持トラックの前記チャネル内でロック位置に回転した場合に前記棚支持トラックの前記チャネルの下部外縁に係合するよう構成されている、請求項８に記載のシステム。
【請求項１４】
前記筐体が前記ディスプレイ画面の反対側の前記筐体の後面に配置され、かつ前記筐体への前記棚支持トラックの形状投影の外側の音声再生装置からの音声を提供するよう構成された少なくとも１つの音声ポートをさらに備える、請求項８に記載のシステム。
【請求項１５】
電子棚表示タグを電動棚支持トラックに取り付ける方法であって、
上部内縁および下部内縁を含むチャネル、下部外縁、および前記チャネル内の第１および第２電力導体を含む前記電動棚支持トラックを設けるステップと、
ディスプレイ画面と、無線通信トランシーバと、電気コネクタ、少なくとも１つの傾斜ストップ、および支持リブを含む筐体とを含む前記電子棚表示タグを設けるステップと、
前記電気コネクタの導電部材を前記電動棚支持トラックの前記チャネル内に挿入するために前記電子棚表示タグを配向するステップと、
前記電動棚支持トラックの前記チャネル内で、前記電気コネクタの前記導電部材を支持する突出部材回りに前記電子棚表示タグを回転するステップと、
前記電子棚表示タグを回転することによって、前記チャネル内の前記第１および第２電力導体に電気的に接触するように前記電気コネクタの前記導電部材上の２つの対向配置された第１および第２導電体を係合させるステップと、
前記電子棚表示タグを回転することによって、前記筐体の傾斜ストップを前記電動棚支持トラックの前記チャネルの少なくとも１つの内縁に係合させるステップと、
前記電子棚表示タグを回転することによって、前記筐体の支持リブを前記電動棚支持トラックの前記チャネルの外縁に係合させるステップと、
を備える、方法。
【請求項１６】
回転することによって、前記電動棚支持トラックの前記チャネルの前記少なくとも１つの内縁を前記傾斜ストップに係合させるステップが、
前記電子棚表示タグを回転することによって、前記電気コネクタが前記電動棚支持トラックの前記チャネル内で回転する場合に上部傾斜ストップを前記電動棚支持トラックの前記チャネルの上部内縁に係合させるステップをさらに備える、請求項１５に記載の方法。
【請求項１７】
回転することによって、前記電動棚支持トラックの前記チャネルの前記少なくとも１つの内縁を前記傾斜ストップに係合させるステップが、
前記電子棚表示タグを回転することによって、前記電気コネクタが前記電動棚支持トラックの前記チャネル内で回転する場合に下部傾斜ストップを前記電動棚支持トラックの前記チャネルの下部内縁に係合させるステップをさらに備える、請求項１６に記載の方法。
【請求項１８】
前記電子棚表示タグを回転することによって，
前記支持リブを前記電動棚支持トラックの前記チャネルの前記外縁に係合させるステップ、
前記上部傾斜ストップを前記電動棚支持トラックの前記チャネルの前記上部内縁に係合させるステップ、および
前記下部傾斜ストップを前記電動棚支持トラックの前記チャネルの前記下部内縁に係合させるステップ
が略同時に生じる、請求項１７に記載の方法。
【請求項１９】
前記方法が、前記電動棚支持トラックのチャネル内の前記第１および第２電力導体を介して前記電子棚表示タグに電力を提供するステップをさらに備える、請求項１５に記載の方法。
【請求項２０】
前記方法が
前記電子棚表示タグにおいて前記無線通信トランシーバを介して無線で情報を受容するステップと、
前記電子棚表示タグにおいて、前記無線通信トランシーバを介して受信した前記情報に基づいて前記ディスプレイ画面上のディスプレイ情報を更新するステップと、
前記電子棚表示タグにおいて、低電力消費モードに入るステップと、
をさらに備える、請求項１５に記載の方法。
【発明の詳細な説明】
【技術分野】
【０００１】
本発明は、情報を表示する電子棚札（ＥＳＬ）または電子棚表示タグと電子棚表示タグと組み合わせて使用するための、対応する電動棚支持トラックに関する。
【背景技術】
【０００２】
商品情報表示システムは、電子小売店環境内の関連製品についての情報を提供するために使用することができる。システムは通常、可変グラフィックディスプレイを備えた電子棚札（ＥＳＬ）を利用して、製品に関する情報を電子的に表示する。たとえば、表示される情報には、価格、単位重量あたりの価格、ＳＫＵコード、およびその他の製品関連情報が含まれる場合がある。このようなシステムは、小売スーパーマーケット、ドラッグストア、食料品店、金物店、自動車部品店、または可変の商品情報を表示したいその他の設定で使用することができる。
【０００３】
商品情報表示システムは、ＥＳＬの情報を更新するために必要な労力を低減し、人為的エラーのために誤った価格を表示する可能性を減少する。さらに、電子記事情報表示システムは、すべての価格を中央コンピュータで、または近接場無線通信タデバイスを使用してＥＳＬの位置でリモートで制御および変更できるため、一度に多数の価格を変更することを容易にする。
【０００４】
このような表示システムを設置するために、補助レールは、店舗棚ユニットに搭載されている電子ディスプレイタグがと相互作用するように設計されている。ＥＳＬは、補助レールに接続され、買い物中の顧客や補充中の店舗の従業員が誤ってＥＳＬを取り外したり損傷したりしないように機械的に安全な接続を提供し、補助レールに取り付けられるとＥＳＬに電源を供給する。
【発明の概要】
【発明が解決しようとする課題】
【０００５】
従って、迅速かつ安全に電動棚支持トラックに接続することができるＥＳＬが必要とされている。
【課題を解決するための手段】
【０００６】
添付の特許請求の範囲で定義される本発明は、電子棚札または電子棚表示タグ、および上で概説したニーズに対処する棚表示タグと組み合わせて使用するための電動棚支持トラックを提供する。以下の要約は、以下の詳細な説明でさらに説明される簡略化された形式で概念の選択を紹介するために提供されている。以下の要約は、主張された主題の範囲を制限するために使用されることを意図するものではない。
【０００７】
本明細書に開示される一の実施形態では、電子棚表示タグ装置は、ディスプレイ画面、無線通信トランシーバ、および音声再生装置の各々と通信するメモリを有するプログラム可能なプロセッサを含む。電子棚表示タグ装置は、プロセッサ、ディスプレイ画面、無線通信トランシーバ、および音声再生装置に電力を供給するように構成された電源装置をさらに含む。電子棚表示タグ装置は、プロセッサ、ディスプレイ画面、無線通信トランシーバ、音声再生装置、および電源装置をカプセル化するように構成された筐体をさらに含む。筐体はさらに、電源装置と通信する少なくとも１つの導体、棚支持トラックのチャネルの内縁に係合するように構成された少なくとも１つの傾斜ストップ、および棚支持トラックのチャネルの外縁に係合するように構成された支持リブを有する電気コネクタを含む。
【０００８】
本明細書に開示される別の実施形態において、電子棚表示システムは、チャネル内の上部及び下部内縁、下部外縁、第１および第２の電力導体を含むチャネルを有する棚支持トラックを含む。電子棚表示システムは、ディスプレイ画面のそれぞれと通信するメモリを有するプログラマブルプロセッサ、無線通信トランシーバ、および音声再生装置を有する電子棚表示タグをさらに含む。電子棚表示タグはさらに、プログラマブルプロセッサ、ディスプレイ画面、無線通信トランシーバ、および音声再生装置に電力を供給するように構成された電源装置を有する。電子棚表示タグはさらに、プログラマブルプロセッサ、ディスプレイ画面、無線通信トランシーバ、音声再生装置、および電源装置をカプセル化するように構成された筐体を有する。筐体は、電源装置と通信する少なくとも１つの導体、棚支持トラックのチャネルの内縁に係合するように構成された少なくとも１つの傾斜ストップ、および棚支持トラックのチャネルの外縁に係合するように構成された支持リブを有する電気コネクタをさらに含む。
【０００９】
別の実施形態において、電動棚支持トラックに電子棚表示タグを取り付ける方法は、上部及び下部内縁、下部外縁、および第１および第２の電力導体を含むチャネルを有する電動棚支持トラックを設けるステップを含む。この方法は、ディスプレイ画面、無線通信トランシーバ、および電気コネクタ、少なくとも１つの傾斜ストップ、および支持リブを含む筐体を含む電子棚表示タグを提供するステップをさらに含む。この方法はさらに、電子棚表示タグを方向付けて、電気コネクタの導電部材を電動棚支持トラックのチャネル内に挿入するステップ、および電子棚表示タグを、電動棚支持トラックのチャネル内で電気コネクタの導電部材を支持する突出部材の周りで回転させるステップを含む。この方法はさらに、電子棚表示タグを回転させることにより、電気コネクタの導電部材上に対向して配置された２つの第１および第２の導電体を係合させて、チャネル内の第１および第２の電力導体を電気的に接触させるステップと、電子棚表示タグを回転させることにより、筐体の傾斜ストップを電動棚支持トラックのチャネルの少なくとも１つの内縁に係合させるステップとをさらに含む。この方法は、電子棚表示タグを回転させることによって、電動棚支持トラックのチャネルの外縁と筐体の支持リブを係合させるステップをさらに含む。
【００１０】
本発明の実施形態は、必ずしも一定の縮尺で描かれているわけではない図面を参照して、以下の詳細な説明からよりよく理解されるであろう。
【図面の簡単な説明】
【００１１】
【図１】本明細書に開示提示される電子棚表示タグのシステムおよび電動棚支持トラックの代表的な実施形態の概略図を示す。
【図２】本明細書に提示される電子棚表示タグの代表的な実施形態の分解図を示す。
【図３】図２の電子棚表示タグの代表的な実施形態の背面組立図を示す。
【図４】本明細書に提示される電子棚表示タグと電動棚支持トラックを含むシステムの斜視図を示す。
【図５】本明細書に提示される電子棚表示タグおよび電動棚支持トラックを含むシステムの側面組立図を示す。
【図６Ａ】電動棚支持トラックと電子棚表示タグの係合の初期段階の背面斜視切欠図を示す。
【図６Ｂ】電子棚表示タグを電動棚支持トラックと係合させる初期段階の図６Ａの「Ａ」の拡大後部透視断面図を示す。
【図７】本明細書に提示される電動棚支持トラックと電子棚表示タグを係合させる方法の正面斜視図を示す。
【図８】本明細書に提示される電子棚表示タグを電動棚支持トラックと係合させる図７に提示された方法の背面図を示す。
【図９】電子棚表示タグを電動棚支持トラックに取り付ける方法の論理図を示す。
【発明を実施するための形態】
【００１２】
図１は、本明細書に提示される電子棚表示タグ１０および電動棚支持トラック２００のシステム２の代表的な実施形態の概略図を示す。電子棚表示タグ１０は、筐体２０を有し、筐体は、グラフィックディスプレイ６０と、システムバス７４を介してメモリ７３、無線通信トランシーバ７６、アンテナ９０（図１には示されていない）、音声再生装置８０と通信するプロセッサ７２を提供するプリント回路基板７０とを収容する。プリント回路基板７０は、電動棚支持トラック２００の第１の電力導体２２０および第２の電力導体２３０に電気的に係合／解放可能な構成で配置された上部電気コネクタ１０２および下部電気コネクタ１０４を有する突出電気接続部１００と通信する電源７８をさらに含む。第１の電力導体２２０および第２の電力導体２３０は、チャネル２１０内で、チャネル２１０の上部内縁２１２および下部内縁２１４によってそれぞれに覆われている  。
【００１３】
図２は、本明細書に提示される電子棚表示タグ１０の代表的な実施形態の分解図を示す。筐体２０は、グラフィックディスプレイ６０とプリント回路基板７０の両方を囲む前部筐体２２および後部筐体２４を含む。
【００１４】
後部筐体２４は、上方に配置されたストップ縁部２８を有する下部リブ２６と、下方に配置されたストップ縁部３２および傾斜ランプ３４を有する下部傾斜ストップ３０、および上方に配置されたストップ縁部３８および傾斜ランプ４０を有する上部傾斜ストップ３６を含む。後部筐体２４は、特に電動棚支持トラック２００のチャネル２１０と係合する場合に突出電気接続部１００に機械的支持を提供する電動棚支持トラック係合形状４２、およびプリント回路基板７０上の音声再生装置８０から音を送信するためのいくつかの音声ポート４４をさらに含む。
【００１５】
前部筐体２２は、グラフィックディスプレイ６０が筐体２０内で見えるように構成されたフロントウィンドウ５０をさらに支持する。
【００１６】
プリント回路基板７０は、プロセッサ７２、メモリ７３、プリント回路基板７０上の複数の電気部品を接続するシステムバス７４、（図２には示されていない）、無線アンテナ９０と通信する無線通信トランシーバ７６、電源７８および音声再生装置８０を備えることができる。プリント回路基板７０はまた、プリント回路基板７０の遠位コーナーに取り付けられた発光ダイオード（ＬＥＤ）８２または任意の同等の光源を含み得、電子棚表示タグ１０に表示される情報を更新または変更する場合に店舗従業員にフィードバックを提供し、および／または、セールやプロモーションアイテムに関して顧客の注意をひくためにＬＥＤ８２の点滅に気づく顧客への通知を目的とする。プリント回路基板７０上に搭載されたＬＥＤ８２を収容するために、筐体２０の前部筐体２２と後部筐体２４は、通知またはフィードバックの目的で、ＬＥＤ８２からの観察可能な発光を筐体を通して伝達することができる半透明または透明な材料から形成することができる。
【００１７】
突出電気接続部１００は、上部電気コネクタ１０２、下部電気コネクタ１０４、上部電気コネクタ１０２および下部電気コネクタ１０４を電動棚支持トラック係合形状４２に支持する中央スペーサーポスト１０６を含む。
【００１８】
図３は、図２の電子棚表示タグの代表的な実施形態の背面組立図を示し、より具体的には後部筐体２４、上方に配置されたストップ縁部２８を有する下部リブ２６、下方に配置されたストップ縁部３２を有する下部傾斜ストップ３０、上方に配置されたストップ縁部３８を有する上部傾斜ストップ３６が、および上部電気コネクタ１０２、下部電気コネクタ１０４、および電動棚支持トラック係合形状４２内に配置された中央に配置された中央スペーサーポスト１０６を含む突出電気接続部１００を示す。
【００１９】
要約すると、図１〜図３は、ディスプレイ画面６０、無線通信トランシーバ７６、および音声再生装置８０のそれぞれと通信するメモリ７３を有するプログラマブルプロセッサ７２を備える電子棚表示タグ装置１０を示す。電源装置７８は、プロセッサ７２、メモリ７３、ディスプレイ画面６０、無線通信トランシーバ７６、および音声再生装置８０に電力を供給するように構成されている。電子棚表示タグ装置１０は、さらに、プロセッサ７２、メモリ７３、ディスプレイ画面６０、無線通信トランシーバ７６、音声再生装置８０および電源装置７８を封入するように構成された筐体２０をさらに含み、筐体２０は、さらに、電源装置７８と通信する少なくとも１つの導体１０２、１０４を有する電気コネクタ１００、棚支持トラック２００のチャネル２１０の内縁２１２、２１４、２１６と係合するように構成された少なくとも１つの傾斜ストップ３０、３６、および棚支持トラック２００のチャネル２１０の外縁２１８と係合するように構成された支持リブ２６を含む。
【００２０】
電子棚表示タグ装置１０は、筐体２０の前面に配置されたディスプレイ画面６０をさら含み、さらに、電子ペーパーディスプレイ、ＬＣＤディスプレイ、ＬＥＤディスプレイを含むことができる。
【００２１】
電子棚表示タグ装置１０は、棚支持トラック２００のチャネル２１０内に挿入され、その中で回転するように構成された突出部材１００をさらに有する電気コネクタをさらに含む。電気コネクタ１００は、棚支持トラック２００のチャネル２１０内に挿入および回転するように構成された突出部材１００の遠位端に配置された２つの対向配置された第１の導電体１０２および第２の導電体１０４をさらに含み、２つの対向配置された第１の導電体１０２および第２の導電体１０４は、棚支持トラック２００のチャネル２１０内の対応する第１の電力導体２２０および第２の電力導体２３０と係合するように構成されている。
【００２２】
電子棚表示タグ装置１０は、ディスプレイ画面６０の反対の筐体２０の背面２４に配置された少なくとも一つの傾斜ストップ３０、３６をさらに含み、電気コネクタ１００が棚支持トラック２００のチャネル２１０内でロック位置（図４参照）まで回転した場合に、棚支持トラック２００のチャネル２１０の上部内縁２１２と係合するように構成された上部傾斜ストップ３６を備える。
【００２３】
電子棚表示タグ装置１０は、ディスプレイ画面６０の反対側の筐体２０の背面２４に配置された少なくとも一つの傾斜ストップ３０、３６をさらに含み電気コネクタ１００が棚支持トラック２００のチャネル２１０内でロック位置（図４参照）まで回転した場合に、棚支持トラック２００のチャネル２１０の下部内縁２１４と係合するように構成された下部傾斜ストップ３０を含む。
【００２４】
電子棚表示タグ装置１０は、ディスプレイ画面６０と反対側の筐体２０の背面２４に配置された支持リブ２６をさらに含み、電気コネクタ１００が棚支持トラック２００のチャネル２１０内でロック位置（図４参照）に回転した場合に、棚支持トラック２００のチャネル２１０の下部外縁２１６と係合するように構成されている。
【００２５】
電子棚表示タグ装置１０は、ディスプレイ画面６０の反対側の筐体２０の背面２４に配置され、筐体２０への棚支持トラック２００の形状投影の外側の音声再生装置８０からの音声を提供するように構成された少なくとも１つの音声ポート４４をさらに含む。
【００２６】
図４は、電気的に接続されロックされた位置における本明細書に提示される電子棚表示タグ１０および電動棚支持トラック２００を含むシステム２の斜視図を示す。
【００２７】
電気接続は、突出電気接続部１００の上部電気コネクタ１０２および下部電気コネクタ１０４が、電動棚支持トラック２００のチャネル２１０によって囲まれた対応する第１の電力導体２２０および第２の電力導体２３０と係合する場合に生じる。
【００２８】
ロック位置は、突出電気接続部１００が電動棚支持トラック２００のチャネル２１０との最終ロック位置に回転する場合に、それぞれの下部リブ２６、下部傾斜ストップ３０、および上部傾斜ストップ３６が電動棚支持トラック２００のそれぞれの縁部と係合するときに発生する。
【００２９】
図５は、完全にロックされ、電動棚支持トラック２００との導電性構成の電子棚表示タグ１０を含むシステム２の側面組立図を示す。この側面組立図は、電動棚支持トラック２００の形状と係合する前部筐体２２の側縁および後部筐体２４の突出する特徴部を示している。
【００３０】
突出電気接続部１００の上部電気コネクタ１０２および下部電気コネクタ１０４は、電動棚支持トラック２００のチャネル２１０によって囲まれる対応する第１の電力導体２２０および第２の電力導体２３０と係合する。上部電気コネクタ１０２および下部電気コネクタ１０４は、プリント回路基板７０上の電源７８と導電的に係合し、したがって、電動棚支持トラック２００の第１の電力導体２２０および第２の電力導体２３０から電子棚表示タグ１０に電力を供給する。
【００３１】
電子棚表示タグ１０を電動棚支持トラックに２００に機械的にロックするために、下部リブ２６の上方に配置されたストップ縁部２８が電動棚支持トラック２００の支持トラックの下部外縁２１８に係合する。さらに、下部傾斜ストップ３０の下方に配置されたストップ縁部３２は、電動棚支持トラック２００の支持トラックの上部内縁２１６と係合する。代替として、下部傾斜ストップ３０の下方に配置されたストップ縁部３２は、電動棚支持トラック２００の下部内縁２１４と係合することができる。さらに、電子棚表示タグ１０を電動棚支持トラック２００に機械的にロックするために、上部傾斜ストップ３６の上方に配置されたストップ縁部３８は、電動棚支持トラック２００のチャネル２１０の上部内縁２１２と係合する。各ストップ縁部は、電子棚表示タグ１０の後部筐体２４および電動棚支持トラック２００の突起の対応する形状に基づいて、電動棚支持トラック２００のそれぞれの部分に実質的に同時に係合する。
【００３２】
図６Ａは、電子棚表示タグ１０を電動棚支持トラック２００と係合させる初期段階の背面斜視断面図を示している。図６Ａは、突出電気接続部１００が回転して、電動棚支持トラック２００のチャネル２１０の内部に滑り係合するように、電動棚支持トラック２００の長手方向軸に実質的に直交するように配向された電子棚表示タグ１０を示す。
【００３３】
図６Ｂは、電子棚表示タグを電動棚支持トラックと係合させる初期段階の図６Ａの「Ａ」の拡大後部透視断面図を示す。図６Ｂは、第１の電力導体２２０および第２の電力導体２３０を横切る方向に向けられた下部電気コネクタ１０４および対応する（見えない）上部電気コネクタ１０２を有する突出電気接続部１００を示す。
【００３４】
電動棚支持トラック係合形状４２は、突出電気接続部１００が電動棚支持トラック２００のチャネル２１０の上部内縁２１２および下部内縁２１４と接触するときにチャネル２１０と係合するための先細の突起を含み得る。
【００３５】
図４〜図６Ｂの要約において、電子棚表示システム２は、上部内縁２１２および下部内縁２１４を有するチャネル２１０、支持トラックの上部内縁２１６、下部外縁２１８、ならびにチャネル２１０内の第１の電力導体２２０および第２の電力導体２３０を含む棚支持トラック２００を含む。電子棚表示システム２は、ディスプレイ画面６０、無線通信トランシーバ７６、および音声再生装置８０のそれぞれと通信するメモリ７３を有するプログラマブルプロセッサ７２を含む電子棚表示タグ１０をさらに含む。電子棚表示タグ１０は、プログラマブルプロセッサ７２、メモリ７３、ディスプレイ画面６０、無線通信トランシーバ７６、および音声再生装置８０に電力を供給するように構成された電源装置７８をさらに含む。電子棚表示タグ１０は、さらに、プログラマブルプロセッサ７２、ディスプレイ画面６０、無線通信トランシーバ７６、音声再生装置８０および電源装置７８を封入するように構成された筐体２０をさらに含み、筐体２０は、電源装置７８と通信する少なくとも一つの導体１０２、１０４を有する電気コネクタ１００、電動棚支持トラック２００のチャネル２１０の内縁２１２、２１４、２１６と係合するよう構成された少なくとも一つの傾斜ストップ３０、３６、および棚支持トラック２００の外縁２１８と係合するように構成された支持リブ２６をさらに含む。
【００３６】
システム２はさらに、筐体２０の前面２２に配置されたディスプレイ画面６０を提供し、さらに電子ペーパーディスプレイ、液晶ディスプレイ、またはＬＥＤディスプレイを有する。
【００３７】
システム２はさらに、棚支持トラック２００のチャネル２１０内に挿入および回転するように構成された突出部材１００と、棚支持トラック２００のチャネル２１０内に挿入および回転するように構成され突出部材１００の遠位端に配置された２つの対向配置された第１の導電体１０２および第２の導電体１０４とをさらに含み、２つの対向配置された第１の導電体１０２および第２の導電体１０４は、棚支持トラック２００のチャネル２１０内の対応する第１の電力導体２２０および第２の電力導体２３０と係合するように構成されている。
【００３８】
システム２には、ディスプレイ画面６０の反対側の筐体２０の背面２４に配置された少なくとも１つの傾斜ストップが設けられ、電気コネクタ１００が棚支持トラック２００のチャネル２１０内でロック位置に回転した場合に、棚支持トラック２００のチャネル２１０の上部内縁２１２と係合するように構成された上部傾斜ストップ３６を備える。
【００３９】
システム２には、ディスプレイ画面６０の反対側の筐体２０の背面２４に配置された少なくとも１つの傾斜ストップが設けられ、電気コネクタ１００が棚支持トラック２００のチャネル２１０内でロック位置まで回転する場合に、棚支持トラック２００の下部内縁２１４、２１８と係合するように構成された下部傾斜ストップ３０をさらに備える。
【００４０】
システム２は、ディスプレイ画面６０の反対側の筐体２０の背面２４に配置された支持リブ２６が設けられ、電気コネクタ１００が棚支持トラック２００のチャネル２１０内でロック位置まで回転した場合に、棚支持トラック２００の下部外縁２１８と係合するように構成されている。
【００４１】
システム２には、ディスプレイ画面６０の反対側の筐体２０の背面２４に配置された少なくとも１つの音声ポート４４が設けられ、筐体２０への棚支持トラック２００の形状投影の外側の音声再生装置８０からの音声を提供するように構成されている。
【００４２】
図７は正面斜視図を示し、図８は、電子棚表示タグ１０を電動棚支持トラック２００と係合させる方法の背面図を示している。図１〜図６Ｂの電子棚表示タグ１０は、図７〜図８の電子棚表示タグ１０Ａとして提示され、電動棚支持トラック２００の長手方向軸に対して横方向に向けられ、方向Ｉに移動し、突出電気接続部１００を電動棚支持トラック２００のチャネル２１０に挿入する。
【００４３】
その後、電子棚表示タグ１０Ｂとして表される電子棚表示タグは、突出電気接続部１００の中心軸の周りに角度方向ＩＩに中間位置に回転される。最後に、電子棚表示タグ１０Ｃによって表される電子棚表示タグは、突出電気接続部１００の中心軸の周りに角度方向ＩＩＩに最終位置にさらに回転される。最終位置では、突出電気接続部１００の上部電気コネクタ１０２および下部電気コネクタ１０４は、電動棚支持トラック２００のチャネル２１０内の第１の電力導体２２０および第２の電力導体２３０と電気的に接触する。
【００４４】
図８はさらに、様々な位置で電動棚支持トラック２００と係合する、後部筐体２４の下部リブ２６、下部傾斜ストップ３０、および上部傾斜ストップ３６を示している。電子棚表示タグ１０Ｃがその最終位置にある場合に下部リブ２６は、支持トラックの下部外縁２１８と接触する。電子棚表示タグ１０Ｃがその最終位置にある場合に、ストップ縁部３２が支持トラックの上部内縁２１６、または代替的に、下部内縁２１４のいずれかに接触するまで、下部傾斜ストップ３０の傾斜ランプ３４は、支持トラック２１８の下部外縁に突き当たる。上部傾斜ストップ３６の傾斜ランプ４０は、電子棚表示タグ１０Ｃがその最終位置にある場合にストップ縁部３８が上部内縁２１２と接触するまで、電動棚支持トラックの上部外縁に突き当たる。
【００４５】
電子棚表示タグ１０の除去は、図７〜図８に示す取付シーケンスと逆の方法で進められる。すなわち、ユーザは、それが確実に電動棚支持トラックに装着された状態で電子棚表示タグ１０をつかみ、下部傾斜ストップ３０のストップ縁部３２および上部傾斜ストップ３６のストップ縁部３８がそれぞれ、縁部が供給された回転力に屈するまで、電動棚支持トラック２００のそれぞれの縁部に突き当たるように、突出電気接続部１００回りに電子棚表示タグ１０を回転させる。電子棚表示タグ１０は、そのロック位置から横方向位置に回転され、そこで、突出電気接続部１００が、電動棚支持トラック２００のチャネル２１０から引き離され得る。
【００４６】
図９は、電子棚表示タグ１０を電動棚支持トラック２００に取り付ける方法の論理図を示し、上部内縁２１２および下部内縁２１４を含むチャネル２１０、下部外縁２１８、ならびにチャネル２１０内の第１の電力導体２２０および第２の電力導体２３０を含む電動棚支持トラック２００を提供するステップ９００を含む。この方法はさらに、ディスプレイ画面５０、無線通信トランシーバ７６、および電気コネクタ１００、少なくとも一つの傾斜ストップ３０又は３６、および支持リブ２６を含む筐体２０を含む電子棚表示タグ１０を提供するステップ９０２を備える。方法はさらに、電気コネクタ１００の導電部材１０２、１０４を電動棚支持トラック２００のチャネル２１０内に挿入するために、電子棚表示タグ１０を配向するステップ９０４を備える。方法はさらに、電子棚表示タグ１０を電動棚支持トラック２００に対して、電動棚支持トラック２００のチャネル２１０内で電気コネクタ１００の導電部材１０２、１０４を支持する突出部材４２回りに回転させるステップ９０６を備える。方法はさらに、電子棚表示タグ１０を回転させることにより、チャネル２１０内の第１の電力導体２２０および第２の電力導体２３０に電気的に接触するように、電気コネクタの２つの対向配置された第１の導電体１０２および第２の導電体１０４を係合するステップ９０８を備える。方法はさらに、電子棚表示タグ１０を回転させることによって、筐体の傾斜ストップ３０及び／又は３６を電動棚支持トラック２００のチャネルの少なくとも一つの内縁２１４、２１６、２１６に係合するステップ９１０を備える。この方法はさらに、電子棚表示タグ１０を回転させることによって、筐体２０の支持リブ２６を電動棚支持トラック２００の外縁２１８と係合するステップ９１２を備える。
【００４７】
方法は、電子棚表示タグ１０を回転することによって、電気コネクタ１００が電動棚支持トラック２００のチャネル２１０内で回転する場合に、上部傾斜ストップ３６を電動棚支持トラック２００のチャネル２１０の上部内縁２１２に係合するステップをさらに含む。
【００４８】
この方法はさらに、電子棚表示タグ１０を回転させることによって、電気コネクタ１００が電動棚支持トラック２００のチャネル２１０内で回転する場合に、下部傾斜ストップ３０を、電動棚支持トラック２００のチャネル２１０の下部内縁２１４と係合させるステップを含む。
【００４９】
この方法において、電子棚表示タグ１０を回転させることにより、支持リブ２６を電動棚支持トラック２００のチャネル２１０の外縁２１８と係合させ、上部傾斜ストップ３６を電動棚支持トラック２００のチャネル２１０の上部内縁２１２と係合させ、下部傾斜ストップ３０を電動棚支持トラック２００のチャネル２１０の下部内縁２１８または下部内縁２１４と係合させるステップは、実質的に同時に発生する。
【００５０】
この方法は、電動棚支持トラックチャネル２００内の第１の電力導体２２０および第２の電力導体２３０を介して電子棚表示タグ１０に電力を供給するステップをさらに含む。
【００５１】
この方法は、電子棚表示タグ１０において、無線通信トランシーバ７６を介して情報を無線受信し、電子棚表示タグ１０において、無線通信トランシーバ７６を介して受信した情報に基づいて、ディスプレイ画面５０上の表示情報を更新し、および電子棚表示タグ１０で低電力消費モードに入るステップをさらに含む。
【００５２】
本明細書に記載の装置、システムおよび方法の形態は、本発明の好ましい実施形態を構成するが、本発明は、本明細書に記載の正確な形態に限定されず、特許請求の範囲によって定義される本発明の範囲から逸脱することなく、変更を加えることができる。 
【符号の説明】
【００５３】
２  電子棚表示システム
１０  電子棚表示タグ装置
２０  筐体
２２  前部筐体
２４  後部筐体
２６  支持リブ
２８  ストップ縁部
３０  下部傾斜ストップ
３２  ストップ縁部
３４  傾斜ランプ
３６  上部傾斜ストップ
３８  ストップ縁部
４０  傾斜ランプ
４２  電動棚支持トラック係合形状
４４  音声ポート
５０  フロントウィンドウ
６０  ディスプレイ画面
７０  プリント回路基板
７２  プログラマブルプロセッサ
７３  メモリ
７４  システムバス
７６  無線通信トランシーバ
７８  電源装置
８０  音声再生装置
８２  発光ダイオード（ＬＥＤ）
９０  無線アンテナ
１００  電気コネクタ
１０２  第１の導電体
１０４  第２の導電体
１０６  中央スペーサーポスト
２００  電動棚支持トラック
２１０  チャネル
２１２  上部内縁
２１４  下部内縁
２１６  上部内縁
２１８  下部外縁
２２０  第１の電力導体
２３０  第２の電力導体
【図１】
2021528762.tif 000003
【図２】
2021528762.tif 000004
【図３】
2021528762.tif 000005
【図４】
2021528762.tif 000006
【図５】
2021528762.tif 000007
【図６Ａ】
2021528762.tif 000008
【図６Ｂ】
2021528762.tif 000009
【図７】
2021528762.tif 000010
【図８】
2021528762.tif 000011
【図９】
2021528762.tif 000012
【国際調査報告】
2021528762.tif 000013
2021528762.tif 000014
2021528762.tif 000015